(57)【要約】本発明は、ビデオ信号にトリックモードを実行する方法２００及びシステム３００に関する。本方法は、トリックモードのコマンドを受信するステップ２１２、該ビデオ信号において該トリックモードと互換性のあるピクチャをサーチするステップ２１４、及び該互換性のあるピクチャが一旦探されたとき、該トリックモードを始動するステップ２１６を含んでいる。トリックモードは、フリーズのトリックモードであり、本方法は、トリックモードのビデオ信号を形成するため、該トリックモードの間、該互換性のあるピクチャを繰り返すステップをさらに含んでいる。この繰り返すステップは、該トリックモードのビデオ信号を形成するため、該互換性のあるピクチャから予測されるダミーのピクチャを該ビデオ信号に挿入するステップ２１８により、該トリックモードの間、該互換性のあるピクチャを繰り返すステップをさらに含んでいる。ダミーのピクチャは、ダミーの予測ピクチャである。
2005507221.tif 000002
【特許請求の範囲】
【請求項１】
複数の原画像を含むビデオ信号にトリックモードを実行する方法であって、
トリックモードのコマンドを受信するステップと、
該トリックモードと互換性のある予測ピクチャについて、該ビデオ信号における複数の原画像をサーチするステップと、
該予測ピクチャが一旦探されたとき、該トリックモードを始動するステップと、
を備える方法。
【請求項２】
該トリックモードは、フリーズのトリックモードであり、トリックモードのビデオ信号を形成するため、該トリックモードの間、該予測ピクチャを繰り返すステップをさらに備える、
請求項１記載の方法。
【請求項３】
前記繰り返すステップは、該トリックモードのビデオ信号を形成するため、該予測ピクチャから予測されるダミーのピクチャを該ビデオ信号に挿入することで、該トリックモードの間、該予測ピクチャを繰り返すステップをさらに備える、
請求項２記載の方法。
【請求項４】
該複数の原画像のそれぞれは、表示インジケータを含み、ダミーのピクチャが該ビデオ信号に挿入されたとき、該予測ピクチャに後続する原画像の表示インジケータを選択的に変更するステップをさらに備える、
請求項３記載の方法。
【請求項５】
該ダミーのピクチャは、ダミーの予測ピクチャである、
請求項４記載の方法。
【請求項６】
該トリックモードの少なくとも１部は、リモートデコーダによりデコードされる、
請求項５記載の方法。
【請求項７】
ビデオ信号にトリックモードを実行する方法であって、
トリックモードのコマンドを受信するステップと、
該ビデオ信号において該トリックモードと互換性のある予測ピクチャをサーチするステップと、
該予測ピクチャが一旦探されたとき、該トリックモードを始動するステップと、
該トリックモードのコマンドがフリーズのトリックモードである場合、トリックモードのビデオ信号を形成するために、該予測ピクチャから予測されるダミーのピクチャを該ビデオ信号に挿入することで、該トリックモードの間、該トリックモードのビデオ信号を形成するために該予測ピクチャを繰り返し、ダミーのピクチャが該ビデオ信号に挿入されたとき、予測ピクチャに後続する原画像の表示インジケータを選択的に変更するステップと、
を備える方法。
【請求項８】
複数の原画像を含むビデオ信号にトリックモードを実行するためのシステムであって、
記憶媒体からデータを読出して、該ビデオ信号を生成するためのコントローラと、
トリックモードのコマンドを受信し、該トリックモードと互換性のある予測ピクチャについて、該ビデオ信号における複数の原画像をサーチし、該予測ピクチャが一旦探されたとき、該トリックモードを始動するためにプログラムされるビデオプロセッサと、
を備えるシステム。
【請求項９】
該トリックモードは、フリーズのトリックモードであり、該プロセッサは、トリックモードのビデオ信号を形成するため、該トリックモードの間、該予測ピクチャを繰り返すためにプログラムされる、
請求項８記載のシステム。
【請求項１０】
該プロセッサは、トリックモードのビデオ信号を形成するため、該予測ピクチャから予測されるダミーのピクチャを該ビデオ信号に挿入することで、該トリックモードの間、該予測ピクチャを繰り返すためにさらにプログラムされる、
請求項９記載のシステム。
【請求項１１】
該複数の原画像のそれぞれは、表示インジケータを含み、該プロセッサは、ダミーのピクチャが該ビデオ信号に挿入されたとき、該予測ピクチャに後続する原画像の表示インジケータを選択的に変更するためにさらにプログラムされる、
請求項１０記載のシステム。
【請求項１２】
該ダミーのピクチャは、ダミーの予測ピクチャである、
請求項１１記載のシステム。
【請求項１３】
該トリックモードのビデオ信号の少なくとも１部をデコードするためのリモートデコーダをさらに備える、
請求項１２記載のシステム。
【発明の詳細な説明】
【技術分野】
【０００１】
本発明は、ビデオシステム全般に関し、より詳細には、デジタル形式でエンコードされたビデオ系列を記録又は再生するビデオシステムに関する。
【背景技術】
【０００２】
デジタルテレビジョン（ＤＴＶ）及び高精細テレビジョン（ＨＤＴＶ）は、今日の家庭用電子製品の市場において注目されている。これらのタイプのテレビジョンの多くの購入者は、先に記録された番組を視聴したり、該購入者の好みの番組を記録したりするために、デジタルビデオディスク（ＤＶＤ）レコーダ又はプレーヤのような、デジタルビデオレコーダ又はプレーヤも購入する。特に、ＤＴＶ（又はＨＤＴＶ）とデジタルビデオレコーダ又はプレーヤとの組み合わせは、ホームシアター娯楽システムの統合された部分となる。
【０００３】
デジタルビデオレコーダ又はプレーヤは、ＭＰＥＧ（Ｍｏｖｉｎｇ  Ｐｉｃｔｕｒｅ  Ｅｘｐｅｒｔ  Ｇｒｏｕｐ）デコーダを一般に含んでおり、このデコーダは、レコーダ又はプレーヤが再生するディスクに記憶されたデジタル形式でエンコードされたマルチメディアデータをデコードする。デジタルビデオレコーダ又はプレーヤが従来の（ＤＴＶではない、又はＨＤＴＶではない）テレビジョンに接続された場合、デジタル形式でエンコードされた信号は、従来のテレビジョンに表示される前に、デジタルビデオレコーダ又はプレーヤのＭＰＥＧデコーダによりデコードされる。しかし、多くのＤＴＶは、それ自身のＭＰＥＧデコーダを含んでおり、大部分のデジタルビデオレコーダ又はプレーヤにおけるＭＰＥＧデコーダは、かかるテレビジョンのビデオ信号のデコードを取り扱うことができない。かかるように、デジタルビデオレコーダ又はプレーヤがＤＴＶに接続された場合、ディスクから読み出されたビデオ信号は、ＤＴＶのデコーダで遠隔的にデコードされる。このシステム構成は、リモートデコーダ構成と呼ばれる。
【発明の開示】
【発明が解決しようとする課題】
【０００４】
しかし、デジタル形式でエンコードされた信号をリモートＤＴＶデコーダによりデコードすることには重要な問題がある。特に、このタイプの構成でトリックモードを実行することは非常に困難である。たとえば、トリックモードは、ビデオ信号における多数のピクチャを繰り返すことを含む場合がある。デジタルレコーダとＤＴＶの間の帯域幅は制限されているので、ＤＴＶに供給される信号におけるピクチャを繰り返すことで、信号のビットレートが転送チャネルの最大ビットレートを超える場合がある。この問題は、ピクチャがイントラ（Ｉ）ピクチャ又は予測（Ｐ）ピクチャである場合には、これらのピクチャは一般に平均的なピクチャよりも多くのビットでエンコードされているために、更に深刻となる。
【０００５】
さらに、フリーズコマンド又はポーズコマンドのような所定のトリックモードで問題となる場合がある。特に、フリーズのトリックモードが始動されたとき、トリックモードをどの位長く実際に持続するかを正確に判断するための方法がない。結果的に、このタイプのトリックモードの間、特定のピクチャを何回表示すべきかを計算することは不可能である。この不確かさは、ＤＴＶにおけるデコーダに転送されているピクチャの表示順序に干渉する。これは、ＤＴＶデコーダがデジタルビデオデコーダの制御下になく、フリーズのトリックモードが始動されていることを知る方法がないためである。したがって、システムの費用又は複雑さを増加することなしに、トリックモードを実行するためにフレームをサーチするための方法及びシステムが必要とされる。
【課題を解決するための手段】
【０００６】
本発明は、ビデオ信号にトリックモードを実行する方法に関する。本発明は、トリックモードのコマンドを受信するステップ、該ビデオ信号において該トリックモードと互換性のあるピクチャをサーチするステップ、及び該互換性のあるピクチャが一旦探されたとき、該トリックモードを始動するステップを含んでいる。１つの構成では、互換性のあるピクチャは、イントラピクチャ又は予測ピクチャである。
【０００７】
別の構成では、トリックモードは、フリーズのトリックモードであり、本方法は、トリックモードのビデオ信号を形成するため、該トリックモードの間、該互換性のあるピクチャを繰り返すステップをさらに含んでいる。複数の原画像のそれぞれは、表示インジケータを含んでおり、本方法は、互換性のあるピクチャが繰り返されたとき、該互換性のあるピクチャに後続する原画像の表示インジケータを選択的に変更するステップをさらに含んでいる。
【０００８】
さらに、上記繰り返すステップは、該トリックモードのビデオ信号を形成するため、該互換性のあるピクチャから予測されるダミーのピクチャを該ビデオ信号に挿入することで、該トリックモードの間、該互換性のあるピクチャを繰り返すステップをさらに含んでいる。また、本方法は、ダミーのピクチャが該ビデオ信号に挿入されたとき、該互換性のあるピクチャに後続する原画像の表示インジケータを選択的に変更するステップを含んでいる。ダミーのピクチャは、ダミーの予測ピクチャである。さらに、互換性のあるピクチャは、イントラピクチャであり、本方法は、該互換性のあるイントラピクチャをトリックモードの信号に選択的に挿入するステップをさらに含んでいる。トリックモードのビデオ信号の少なくとも１部は、リモートデコーダによりデコードされる。
【０００９】
また、本発明は、ビデオ信号にトリックモードを実行する方法に関する。本方法は、トリックモードのコマンドを受信するステップ、及び該ビデオ信号において該トリックモードと互換性のあるピクチャをサーチするステップ、及び該互換性のあるピクチャが一旦探されたとき、該トリックモードを始動するステップを含んでいる。ここで、該トリックモードのコマンドは、フリーズのトリックモードである。
【００１０】
また、本発明は、ビデオ信号にトリックモードを実行するためのシステムに関する。本システムは、記憶媒体からデータを読出して、該ビデオ信号を生成するためのコントローラ、及びビデオプロセッサを含んでいる。このビデオプロセッサは、トリックモードのコマンドを受信し、該ビデオ信号において該トリックモードと互換性のあるピクチャをサーチし、該互換性のあるピクチャが一旦探されたとき、該トリックモードを始動するためにプログラムされている。また、本システムは、先に説明された方法を実現する適切なソフトウェア及び回路を含んでいる。
【発明を実施するための最良の形態】
【００１１】
本発明の構成に係る、様々な最新の動作機能を実現するためのシステム１００は、図１のブロック図に示されている。しかし、本発明は、図１に例示される特定のシステムに限定されるものではなく、デジタル形式でエンコードされた信号を受けて、該信号を表示装置に転送可能な任意の他のシステムで本発明を実施することができる。さらに、システム１００は、任意のタイプの記憶媒体からデータを読み出すこと、又は該任意のタイプの記憶媒体にデータを書き込むことに限定されず、デジタル形式でエンコードされたデータを記憶可能な任意の記憶媒体をシステム１００で使用することができる。
【００１２】
システム１００は、コントローラ１１０を含んでおり、このコントローラ１１０は、記憶媒体１１２からデータを読み出し、又は該記憶媒体１１２にデータを書き込む。また、システム１００は、サーチエンジン１１４、マイクロプロセッサ１１６及び表示装置１１８を有している。サーチエンジン１１４は、記憶媒体１１２から読み出されたビデオ信号における１以上の特定のタイプのピクチャを探すために適切なソフトウェア及び回路を含んでいる。また、マイクロプロセッサ１１６には、コントローラ１１０及びサーチエンジン１１４の動作を制御することを可能にするため、制御回路及びデータインタフェースを提供することもできる。マイクロプロセッサ１１６により実行される従来の動作のために、適切なソフトウェア又はファームウェアをメモリに設けることができる。さらに、本発明の構成に従って、マイクロプロセッサ１１６用のプログラムルーチンを設けることもできる。
【００１３】
なお、サーチエンジン１１４及びマイクロプロセッサ１１６の全部又は一部は、本発明が意図する範囲でビデオプロセッサ１２０とすることができる。さらに、コントローラ１１０、サーチエンジン１１４及びマイクロプロセッサ１１６の全部又は一部は、本発明が意図する範囲でビットストリームソース１２２とすることができる。１つの構成では、表示装置１１８は、それ自身のデコーダ（図示せず）を含んでいる。このデコーダは、記憶媒体１１２から読み出され、ビットストリームソース１２２により処理された任意のビデオ信号の全部又は一部をデコードする。この特定の構成では、ビットストリームソース１２２におけるデコーダ（図示せず）は、記憶媒体１１２から読み出されたビデオ信号を典型的にデコードしない。この特定の実施の形態は、リモートデコーダ構成と呼ばれ、表示装置１１８におけるデコーダは、リモートデコーダと呼ばれる。なお、本発明はこの構成に限定されず、他の適切なシステムで本発明を実施することができる。
【００１４】
動作において、コントローラ１１０は、記憶媒体１１２から複数のデジタル形式でエンコードされたピクチャを含むビデオ信号を読み出す。これらのピクチャは、原画像（ｏｒｉｇｉｎａｌ  ｐｉｃｔｕｒｅ）と呼ばれる。１つの構成では、マイクロプロセッサ１１６がトリックモードのコマンドを受信した場合、マイクロプロセッサ１１６は、ビデオ信号において該トリックモードと互換性のあるピクチャ（ｃｏｍｐａｔｉｂｌｅ  ｐｉｃｔｕｒｅ）のサーチを始めるようにサーチエンジン１１４に指示する。互換性のあるピクチャが一旦探されると、マイクロプロセッサ１１６は、トリックモードを始動する。互換性のあるピクチャは、Ｉピクチャ、Ｐピクチャ、又はビデオ信号における他のピクチャを予測するために使用される任意の他のピクチャである。
【００１５】
１つの構成では、トリックモードは、フリーズ又はポーズのトリックモードである。フリーズのトリックモードのコマンドに従って、マイクロプロセッサ１１６は、トリックモードのビデオ信号を形成するため、フリーズのトリックモードの間、互換性のあるピクチャを繰り返す。さらに、マイクロプロセッサ１１６は、トリックモードのビデオ信号を形成するため、該互換性のあるピクチャから予測されるダミーのピクチャをビデオ信号に挿入することで、互換性のあるピクチャを繰り返す。
【００１６】
別の構成では、サーチエンジン１１４が特定の互換性のあるピクチャを探したとき、マイクロプロセッサ１１６は、この互換性のあるピクチャをトリックモードのビデオ信号に選択的に挿入する。さらに、フリーズのトリックモードの停止に続いて、マイクロプロセッサ１１６は、意図された表示順序を反映するため、該互換性のあるピクチャに後続する１以上の原画像に含まれる情報の所定の部分を変更する。この変更処理は、該互換性のあるピクチャが繰り返されたか、又はダミーのピクチャがビデオ信号に挿入されたかで実行される。本発明の全体の動作は、以下に更に詳細に説明される。
【００１７】
［トリックモードを実行するためのフレームサーチ］
図２は、トリックモードを実行するためのフレームサーチが実行される１つのやり方を例示するフローチャートである。１つの構成では、本発明は、リモートデコーダ構成で実施される。本発明によれば、リモートデコーダ構成は、ビデオ信号におけるピクチャの少なくとも１部が、デコーダにピクチャを供給しているビットストリームソースの外部にあって、該ビットストリームソースの制御下にないデコーダによりデコードされる任意のシステムである。例として、ビットストリームソースは、光記憶媒体からマルチメディアデータを読み出し、転送チャネルを通して、このデータをデジタルテレビジョンに転送するデジタルビデオレコーダ又はプレーヤのような光記憶媒体である。このデジタルテレビジョンは、それ自身のデコーダを含んでいる。しかし、本発明は、この例すなわちリモートデコーダ構成であっても限定されるものではなく、任意の他の適切なシステム又は構成で本発明を実施することができる。
【００１８】
ステップ２１０で、複数の原画像を含むビデオ信号が読み出される。ステップ２１２で、トリックモードのコマンドが受信される。１つの構成では、トリックモードのコマンドは、フリーズ又はポーズのトリックモードのコマンドである。本発明によれば、フリーズのトリックモードは、ビデオ信号における特定のピクチャが視聴者により決定された時間の間、表示装置で繰り返し表示されるトリックモードである。本発明は、フリーズのトリックモードの観点で主に説明されるが、本発明は、任意の他の適切なトリックモードで実施される。トリックモードのコマンドが一旦受信されると、ステップ２１４で、該トリックモードと互換性のあるピクチャを探すため、複数の原画像のサーチが行われる。ステップ２１６に示されるように、互換性のあるピクチャが探された後、トリックモードが始動される。
【００１９】
先に説明されたように、互換性のあるピクチャは、ビデオ信号におけるピクチャであって、ビデオ信号における他のピクチャを予測するために使用されるピクチャである。この互換性のあるピクチャは、フリーズのトリックモードの間に繰り返し表示され、フリーズのトリックモードのビデオ信号が形成される。本発明の１実施の形態では、互換性のあるピクチャは、Ｉピクチャ又はＰピクチャである。しかし、本発明は、この点に関して限定されるものではなく、任意の他の適切なピクチャを互換性のあるピクチャとすることができる。Ｉ又はＰピクチャのような互換性のあるピクチャが探されるまでフリーズのトリックモードの始動を遅延させることで、互換性のあるピクチャが繰り返される前に、互換性のあるピクチャを構築するために該互換性のあるピクチャに後続する参照フレーム、すなわちアンカーフレームをデコーダに転送する必要がない。
【００２０】
ステップ２１８で示されるように、互換性のあるピクチャを繰り返す処理は、フリーズのトリックモードのビデオ信号を形成するため、互換性のあるピクチャから予測される１以上のダミーのピクチャをビデオ信号に挿入することで実行される。ダミーのピクチャは、この互換性のあるピクチャの（それらが一旦デコードされた）繰り返し又は複製であり、この繰り返し又は複製により、フリーズのトリックモードを実行することができる。ダミーのピクチャは、所定のピクチャから予測されるピクチャであって、その動きベクトル及び離散コサイン変換（ＤＣＴ）係数は、ゼロに設定される（又は、エンコードされない）。かかるように、ダミーのピクチャは、殆ど情報を含んでいない。ダミーピクチャの主要な目的は、殆どビット数を使用せずに、ダミーピクチャが予測されるピクチャを複製又は繰り返すことである。したがって、ダミーピクチャは、互換性のあるピクチャがフリーズのトリックモードのビデオ信号の間で繰り返されるとき、この繰り返される互換性のあるピクチャを置き換えるために適している。
【００２１】
互換性のあるピクチャを繰り返し転送するよりはむしろ、ダミーピクチャがリモートデコーダに転送される。この挿入及び置き換え処理により、フリーズのトリックモードのビデオ信号のビットレートを管理可能なレベルに保つことができる。ダミーピクチャを挿入することなしに、互換性のあるピクチャを繰り返すことで、互換性のあるピクチャがＩピクチャである場合、又はＰピクチャである場合でさえも、フリーズのトリックモードのビデオ信号のビットレートが、デジタルビデオレコーダ又はプレーヤとＤＴＶの間の転送チャネルのビットレートの限度を超える可能性がある。１つの構成では、ダミーピクチャは、ダミーのＰピクチャである。従来のＰピクチャに比較して、ダミーのＰピクチャは、殆どエンコードされた情報を含まず、互換性のあるピクチャを置き換えるために適している。
【００２２】
判定ブロック２２０で、互換性のあるピクチャがＩピクチャであるかが判定される。互換性のあるピクチャがＩピクチャである場合、判定ブロック２２２で、互換性のあるＩピクチャをトリックモードのビデオ信号に選択的に挿入するオプションが選択され、ステップ２２４で実行される。互換性のあるＩピクチャを繰り返して、トリックモードのビデオ信号におけるダミーＰピクチャのなかに該互換性のあるＩピクチャを単に挿入することで、そのピクチャがＩピクチャである場合、互換性のあるピクチャをトリックモードのビデオ信号に場合により又は選択的に挿入する処理が行われる。かかる処理により、信号をブロードキャストするチャネルを視聴者が切り替え、次いでこのチャネルに戻す場合、デコーダ、特にリモートデコーダは、トリックモードのビデオ信号のデコードを継続することができる。さらに、トリックモードの間に視聴者が表示装置のスイッチを消した場合、Ｉピクチャの挿入により、視聴者が該表示装置のスイッチを入れた場合、デコーダはトリックモードのビデオ信号をデコードすることができる。
【００２３】
例として、トリックモードのビデオ信号が割込みされるイベント、及び転送チャネルに沿ったそのブロードキャストが再始動されるイベントにおける適切なデコードを保証するため、互換性のあるＩピクチャは、約０．５秒毎にトリックモードのビデオ信号に挿入される。代替的に、互換性のあるＩピクチャは、Ｎ個のダミーＰピクチャ毎にトリックモードのビデオ信号に挿入される。ここで、Ｎは、ダミーピクチャの任意の適切な数である。例として、互換性のあるＩピクチャは、トリックモードのビデオ信号に挿入される１５のＩピクチャ毎に、トリックモードのビデオ信号に挿入される。しかし、本発明は、これらの例に限定されるものではなく、他の挿入の頻度を使用するともできる。
【００２４】
別の構成では、Ｉピクチャがトリックモードのビデオ信号に挿入されるたびに、シーケンスヘッダがトリックモードのビデオ信号に挿入される。シーケンスヘッダは、先の説明に従いＩピクチャのデコードの間にデコーダを補助する。それぞれのシーケンスヘッダに合わせてＧＯＰヘッダを挿入することは、トリックモードのビデオ信号の適切なデコードを保証するために利用可能な別のオプションである。フローチャート２００を参照して、判定ブロック２２６で、フリーズのトリックモードが継続されるべきかが判定される。継続されるべきであると判定された場合、フローチャート２００は、ステップ２１８に進む。フリーズのトリックモードが停止される場合、フローチャート２００は、判定ブロック２２８に進む。
【００２５】
１つの構成では、ビデオ信号における複数の原画像のそれぞれは、表示インジケータを含んでいる。表示インジケータは、ある特定のピクチャがビデオ信号における他のピクチャと相対的にいつ表示されるかに関して所定のデコーダに指示する。判定ブロック２２８で、所定の表示インジケータを選択的に変更すべきかが判定される。変更すべきであると判定された場合、１つの構成では、ステップ２３０で示されるように、互換性のあるピクチャに後続する原画像の表示インジケータが選択的に変更される。特に、これらの表示インジケータを変更することで、ダミーＰピクチャがビデオ信号に挿入された場合、複数の原画像の意図された表示順序を反映することができる。また、かかる変更は、互換性のあるＩピクチャがトリックモードのビデオ信号に選択的に挿入された場合に行われる。表示インジケータが変更されない場合、フローチャート２００は、ステップ２３２で終了する。
【００２６】
１つの構成では、表示インジケータは、時間参照フィールドである。時間参照フィールドは、一般に１０ビットのフィールドであり、デジタル形式でエンコードされたピクチャのピクチャヘッダに配置される。このフィールドは、通常、整数値を有しており、この整数値は、ピクチャが表示される順序を示している。たとえば、グループ・オブ・ピクチャ（ＧＯＰ）は、一般に１５のピクチャを含んでいる。ＧＯＰにおける最初のピクチャ、すなわちＧＯＰヘッダの直ぐ後のピクチャの時間参照フィールドは、整数値０を有している。表示される次のピクチャの時間参照フィールドは、整数値１を有する。したがって、表示されるそれぞれ後のピクチャの時間参照フィールドの整数値は、１だけ増加される。
【００２７】
トリックモードのビデオ信号を形成するため、ダミーＰピクチャがビデオ信号に挿入されたとき（又は、互換性のあるピクチャが繰り返されたとき）、原画像の時間参照フィールドに従う表示順序は、もはや有効ではない。したがって、適切な表示順序を示すため、フリーズのトリックモードが一旦完成されると、互換性のあるピクチャに後続する原画像の時間参照フィールドの整数値が変更される。フリーズのトリックモードの期間が一般に分からないとしても、表示インジケータを選択的に変更する処理を容易に実行することができる。これは、Ｉピクチャ又はＰピクチャのような互換性のあるピクチャを使用することで、互換性のあるピクチャを構築するため、互換性のあるピクチャに後続する参照画像を転送する必要がないためである。かかるように、トリックモードのビデオ信号における全てのピクチャの表示順序が容易に決定される。
【００２８】
たとえば、ＧＯＰにおける最初のピクチャがＩピクチャのような互換性のあるピクチャであり、該互換性のあるピクチャから予測される３０の対応するダミーＰピクチャがビデオ信号に挿入される場合（約１秒間のフリーズ）、該互換性のあるピクチャの時間参照フィールドの整数値は（表示されるＧＯＰにおける最初のピクチャであると仮定して）、ゼロとして保持され、さらに、１番目のダミーＰピクチャの時間参照フィールドは、整数値１に設定され、２番目のダミーＰピクチャの時間参照フィールドは、整数値２に設定され、及び３番目のダミーＰピクチャの時間参照フィールドは、整数値３に設定される。それぞれ連続するダミーＰピクチャは、前のダミーＰピクチャの時間参照フィールドの整数値よりも１だけ増加された整数値をもつ時間参照フィールドを有している。したがって、最後のダミーＰピクチャの時間参照フィールドは、整数値３０を有する。
【００２９】
例を続けて、フリーズのトリックモードが一旦終了されると、次の原画像の時間参照フィールドの整数値は、意図された表示順序を反映するため、値３１に変更される。その後、互換性のあるピクチャに後続する残りの原画像の少なくとも１部も変更される。しかし、本発明は、この例に限定されるものではなく、他の時間長のフリーズのトリックモードを本発明の構成に従って実行することができる。
【００３０】
互換性のあるピクチャに後続する原画像の時間参照フィールドの整数値は、互換性のあるＩピクチャがトリックモードのビデオ信号選択的に挿入された場合（ステップ２２４参照）、先の説明に従って調節することもできる。さらに、それぞれ選択的に挿入されたＩピクチャの時間参照フィールドの値は、この値がトリックモードのビデオ信号に挿入されたダミーＰピクチャの時間参照フィールドの値のシーケンスに従うように変更される。
【００３１】
たとえば、例を参照して、互換性のあるピクチャがＩピクチャであり、３番目のダミーＰピクチャに代わってトリックモードのビデオ信号に挿入された場合、該互換性のあるＩピクチャの時間参照フィールドの値は、値３に変更される。このＩピクチャがトリックモードのビデオ信号に挿入される唯一のＩピクチャである場合、最後のダミーＰピクチャの時間参照フィールドの値は３０である。さらに、トリックモードが一旦終了されると、次の原画像の時間参照フィールドの値は、３１に変更される。なお、本発明は、この特定の例に限定されず、任意の他の数の互換性のあるＩピクチャをトリックモードのビデオ信号に挿入することができる。
【００３２】
１つの構成では、フリーズのトリックモードの停止に続いて、互換性のあるピクチャに後続する原画像の時間参照フィールドの整数値を増加する処理は、トリックモードにより作用される最後のＧＯＰにおける最後のピクチャの時間参照フィールドが変更されるまで継続される。次のＧＯＰ、すなわちトリックモードにより作用されない次のＧＯＰに一旦到達すると、新たなＧＯＰにおける最初の表示ピクチャの時間参照フィールドの整数値はゼロである。
【００３３】
本発明の１つの構成では、時間参照フィールドの整数値は、最大値１，０２３を有する。ＧＯＰを構成するピクチャ（原画像にダミーＰピクチャを加えたもの、更には、適用できる場合、任意の繰り返される互換性のあるピクチャを加えたもの）の時間参照フィールドの整数値がこの値に到達し、トリックモードのＧＯＰが終了していない場合、時間参照フィールドの整数値は、単に逸脱して再びゼロから始まる。例として、ダミーＰピクチャの挿入を含むフリーズのトリックモードが始動され、延長された時間の間に実行される場合、ダミーＰピクチャの整数値は、最終的に１，０２３に到達する。この到達が一旦生じると、表示される直ぐ後のダミーＰピクチャの時間参照フィールドの整数値は、ゼロに設定される。勿論、本発明は、時間参照フィールドの使用に限定されるものではなく、先に説明された実施の形態のいずれかにおいて、任意の他の適切なインジケータを変更して、意図された表示順序を反映することができる。また、逸脱する値は、１，０２３に限定されるものではなく、他の適切な値を使用することができる。フローチャート２００を参照して、表示インジケータが一旦選択的に変更されると、ステップ２３２で処理は終了する。
【００３４】
本明細書で開示された実施の形態と共に本発明を説明してきたが、上述された説明は、特許請求の範囲により定義されたような本発明の範囲を限定するものではないことを理解されたい。
【図面の簡単な説明】
【００３５】
【図１】本発明の構成に係る、トリックモードを実行するためにフレームをサーチするシステムのブロック図である。
【図２】本発明の構成に係る、トリックモードを実行するためのフレームをサーチする動作を説明するフローチャートである。
【図１】
2005507221.tif 000003
【図２】
2005507221.tif 000004
【国際公開パンフレット】
2005507221.tif 000005
2005507221.tif 000006
2005507221.tif 000007
2005507221.tif 000008
2005507221.tif 000009
2005507221.tif 000010
2005507221.tif 000011
2005507221.tif 000012
2005507221.tif 000013
2005507221.tif 000014
2005507221.tif 000015
2005507221.tif 000016
2005507221.tif 000017
2005507221.tif 000018
2005507221.tif 000019
2005507221.tif 000020
2005507221.tif 000021
2005507221.tif 000022
2005507221.tif 000023
2005507221.tif 000024
2005507221.tif 000025
2005507221.tif 000026
2005507221.tif 000027
2005507221.tif 000028
2005507221.tif 000029
【手続補正書】
【提出日】平成15年5月21日(2003.5.21)
【手続補正１】
【補正対象書類名】特許請求の範囲
【補正対象項目名】全文
【補正方法】変更
【補正の内容】
【特許請求の範囲】
【請求項１】
複数の原画像を含むビデオ信号にトリックモードを実行する方法であって、
トリックモードのコマンドを受信するステップと、
該トリックモードと互換性のある予測ピクチャについて、該ビデオ信号における複数の原画像をサーチするステップと、
該予測ピクチャが一旦探されたとき、該トリックモードを始動するステップと、
を備える方法。
【請求項２】
該トリックモードは、フリーズのトリックモードであり、トリックモードのビデオ信号を形成するため、該トリックモードの間、該予測ピクチャを繰り返すステップをさらに備える、
請求項１記載の方法。
【請求項３】
前記繰り返すステップは、該トリックモードのビデオ信号を形成するため、該予測ピクチャから予測されるダミーのピクチャを該ビデオ信号に挿入することで、該トリックモードの間、該予測ピクチャを繰り返すステップをさらに備える、
請求項２記載の方法。
【請求項４】
該複数の原画像のそれぞれは、表示インジケータを含み、ダミーのピクチャが該ビデオ信号に挿入されたとき、該予測ピクチャに後続する原画像の表示インジケータを選択的に変更するステップをさらに備える、
請求項３記載の方法。
【請求項５】
該ダミーのピクチャは、ダミーの予測ピクチャである、
請求項４記載の方法。
【請求項６】
該トリックモードの少なくとも１部は、リモートデコーダによりデコードされる、
請求項５記載の方法。
【請求項７】
ビデオ信号にトリックモードを実行する方法であって、
トリックモードのコマンドを受信するステップと、
該ビデオ信号において該トリックモードと互換性のある予測ピクチャをサーチするステップと、
該予測ピクチャが一旦探されたとき、該トリックモードを始動するステップと、
該トリックモードのコマンドがフリーズのトリックモードである場合、トリックモードのビデオ信号を形成するために、該予測ピクチャから予測されるダミーのピクチャを該ビデオ信号に挿入することで、該トリックモードの間、該トリックモードのビデオ信号を形成するために該予測ピクチャを繰り返し、ダミーのピクチャが該ビデオ信号に挿入されたとき、予測ピクチャに後続する原画像の表示インジケータを選択的に変更するステップと、
を備える方法。
【請求項８】
複数の原画像を含むビデオ信号にトリックモードを実行するためのシステムであって、
記憶媒体からデータを読出して、該ビデオ信号を生成するためのコントローラと、
トリックモードのコマンドを受信し、該トリックモードと互換性のある予測ピクチャについて、該ビデオ信号における複数の原画像をサーチし、該予測ピクチャが一旦探されたとき、該トリックモードを始動するためにプログラムされるビデオプロセッサと、
を備えるシステム。
【請求項９】
該トリックモードは、フリーズのトリックモードであり、該プロセッサは、トリックモードのビデオ信号を形成するため、該トリックモードの間、該予測ピクチャを繰り返すためにさらにプログラムされる、
請求項８記載のシステム。
【請求項１０】
該プロセッサは、トリックモードのビデオ信号を形成するため、該予測ピクチャから予測されるダミーのピクチャを該ビデオ信号に挿入することで、該トリックモードの間、該予測ピクチャを繰り返すためにさらにプログラムされる、
請求項９記載のシステム。
【請求項１１】
該複数の原画像のそれぞれは、表示インジケータを含み、該プロセッサは、ダミーのピクチャが該ビデオ信号に挿入されたとき、該予測ピクチャに後続する原画像の表示インジケータを選択的に変更するためにさらにプログラムされる、
請求項１０記載のシステム。
【請求項１２】
該ダミーのピクチャは、ダミーの予測ピクチャである、
請求項１１記載のシステム。
【請求項１３】
該トリックモードのビデオ信号の少なくとも１部をデコードするためのリモートデコーダをさらに備える、
請求項１２記載のシステム。
【請求項１４】
該プロセッサは、該トリックモードのビデオ信号を形成するため、該互換性のあるピクチャから予測されるダミーのピクチャを該ビデオ信号に挿入することで、トリックモードの間、該互換性のあるピクチャを繰り返すためにさらにプログラムされる、
請求項１３記載のシステム。
【請求項１５】
該複数の原画像のそれぞれは、表示インジケータを含み、該プロセッサは、ダミーのピクチャが該ビデオ信号に挿入されたときに、該互換性のあるピクチャに後続する原画像の表示インジケータを選択的に変更するためにさらにプログラムされる、
請求項１４記載のシステム。
【請求項１６】
該ダミーのピクチャは、ダミーの予測ピクチャである、
請求項１５記載のシステム。
【請求項１７】
該互換性のあるピクチャは、イントラピクチャであり、該プロセッサは、互換性のあるイントラピクチャを該トリックモードのビデオ信号に選択的に挿入するためにさらにプログラムされる、
請求項１６記載のシステム。
【請求項１８】
該トリックモードのビデオ信号の少なくとも１部をデコードするためのリモートデコーダをさらに備える、
請求項１７記載のシステム。
【国際調査報告】
2005507221.tif 000030